(57)【要約】【課題】  装置の小型化が実現できる画像読取装置を提供すること。【解決手段】  静止原稿の画像を読取る静止原稿読取部と、搬送原稿の画像を読取る搬送原稿読取部とを有し、前記原稿の画像を読取るための読取手段と、前記原稿を搬送するための搬送手段と、前記静止原稿のサイズ指標シートと、前記搬送原稿読取部において開閉する圧板側に搬送原稿を案内する透明フィルム部材とを備えた画像読取装置において、前記透明フィルム部材の搬送方向下流側端部に差し込み忘れを防止するシール貼りまたは印刷をした。【選択図】  図６
2010028746.tif 000002
【特許請求の範囲】
【請求項１】
静止原稿の画像を読取る静止原稿読取部と、搬送原稿の画像を読取る搬送原稿読取部とを有し、前記原稿の画像を読取るための読取手段と、前記原稿を搬送するための搬送手段と、前記搬送原稿読取部において開閉する圧板側ガイドパス内に搬送原稿を案内する透明フィルム部材と、前記ガイドパス内には透明フィルム部材の端部を差し込むための差込部を備えた画像読取装置において、
清掃のために外した前記透明フィルム部材を取り付ける際、前記透明フィルム部材の搬送方向下流側端部に差し込み忘れを防止するシール貼りまたは印刷をしたことを特徴とする画像読取装置。
【請求項２】
前記シール貼り、印刷には差込忘れを気付かせるための表示部があることを特徴とする請求項１に記載の画像読取装置。
【発明の詳細な説明】
【技術分野】
【０００１】
本発明は、静止原稿の画像及び搬送原稿の画像を読取ることのできる画像読取装置及びこれを用いた画像形成装置に関する。
【背景技術】
【０００２】
従来の複写機、ファクシミリ等の画像形成装置、或はスキャナ等の画像読取装置においては、透明シートの清掃後の差し込み忘れを防止する構成はなかった。
【０００３】
上記の例として、下記特許文献１をあげることが出来る。
【特許文献１】特開２００５−０５７３４０号公報
【発明の開示】
【発明が解決しようとする課題】
【０００４】
しかしながら、上記のような構成の場合、ユーザーが透明シート清掃後に取り付ける際透明シートを紙パス内３０に差し込むことを忘れる可能性がある。また、透明シートを差し込み忘れた場合原稿がジャムするため使い勝手が低下していた。
【０００５】
そこで本発明は、このような現状に鑑みてなされたものであり、ユーザーが清掃後に透明シートを紙パス内に戻し忘れるのを防止することが目的である。
【課題を解決するための手段】
【０００６】
本発明は、静止原稿の画像を読取る静止原稿読取部と、搬送原稿の画像を読取る搬送原稿読取部とを有し、前記原稿の画像を読取るための読取手段と、前記原稿を搬送するための搬送手段と、前記搬送原稿読取部において開閉する圧板側ガイドパス内に搬送原稿を案内する透明フィルム部材と、前記ガイドパス内には透明フィルム部材の端部を差し込むための差込部を備えた画像読取装置において、
清掃のために外した前記透明フィルム部材を取り付ける際、前記透明フィルム部材の搬送方向下流側端部に差し込み忘れを防止するシール貼りまたは印刷をしたことを特徴とする。
【発明の効果】
【０００７】
請求項１に記載の発明によれば、装置の部品清掃後の誤取付けを防止できるため、使い勝手が飛躍的に向上する。
【発明を実施するための最良の形態】
【０００８】
次に、本発明の詳細を実施例の記述に従って説明する。
【実施例１】
【０００９】
以下、本発明を適用した画像読取装置の実施形態について、図面を参照して具体的に説明する。図１は画像読取装置の上方斜視図、図２、図６は画像読取装置の圧板ユニット開いた状態の上方斜視図、図３は自動給送読取装置を示す主要断面図、図４は自動給送読取装置を示す主要断面図の一部拡大図である。
【００１０】
図１、図２、図６に示すように、圧板ユニット１の下面の静止画像読取部には静止画像原稿読取時に原稿Ｄ２をプラテンガラス６に密着するため、白地板２が取り付けられており、ヒンジ３を回転中心として圧板ユニット１が開閉できる構成になっている。
【００１１】
また、図３に示すように、搬送原稿読取部５は、略Ｕ字状の原稿搬送路（以下、Ｕターンパスという）７を有し、このＵターンパス７には、分離ローラ８及び分離パット９、分離ローラ８に当接している予備搬送部材１０、原稿Ｄ１の有無を検出する原稿有無センサ１１、原稿Ｄ１を搬送する搬送ローラ１３及び排紙ローラ対１４、及び、原稿Ｄ１の先端部及び後端部を検出する原稿エッジセンサ１５等が取り付けられた構成となっている。
【００１２】
密着型イメージセンサ１６は、光源としてのＬＥＤアレイから原稿Ｄ１の画像情報面に光を照射し、画像情報面で反射した反射光をセルフォックレンズ（商標）でセンサ素子に結像して画像情報を読取るものである。
【００１３】
この搬送原稿読取部５においては、操作者が原稿Ｄ１を原稿トレイ４に載置するとき、原稿Ｄ１の読取画像面を上側にして装置の手前側からセットされるようになっている。このとき、原稿有無センサ１１により原稿Ｄ１が有ることが検知される。
【００１４】
そして、操作者が操作部１２から読取開始を指示すると、不図示の駆動部が回転し、予備搬送部材１０によって、原稿Ｄ1が分離ローラ８と分離パット９の分離部まで搬送され、原稿Ｄ１が１枚ずつに分離され、最上位の原稿Ｄ１が分離搬送される。また、分離された原稿Ｄ１が搬送ローラ１３によって、Ｕターンパス７に沿って搬送され、さらに密着型イメージセンサ１６の読取部へ搬送される。
【００１５】
原稿搬送部では、原稿エッジセンサ１５により原稿Ｄ１の先端部が検知されると、その位置から所定量搬送されたところで、密着型イメージセンサ１６による画像情報の読取りが開始される。
【００１６】
ここで、図４は搬送原稿読取部５のＸ部拡大図である。密着型イメージセンサ１６の上方部には、原稿をプラテンガラス６へ押圧するための押圧手段２０が設けられている。また、押圧手段２０とプラテンガラス６との間には、プラテンガラス６から下流側ガイド部材１９へ原稿を受け渡すための透明なシート部材１８が設けられている。そのため、原稿の画像は、プラテンガラス６と透明なシート部材１８を介して、読み取られる。
【００１７】
読取開始後、原稿は排紙ローラ対１４に向かう。
【００１８】
そして、原稿エッジセンサ１５により原稿Ｄ１の後端部が検知されると、その位置から所定量搬送されたところで、密着型イメージセンサ１６による画像情報の読取りを終了する。そして、当該原稿Ｄ１は、排紙ローラ対１４によって装置外へ排出される。
【００１９】
このようにして、搬送原稿読取部５では、原稿有無センサ１１が原稿無しを検知するまで上述した読取動作を繰り返す。
【００２０】
次に、本特許の特徴である透明シートの差込忘れ防止シートについて図２、図６、図４を用いて説明する。図２は透明シートが正常に差し込まれた状態で、差込み忘れ防止シート２１が隠れている。図６は透明シート１８が差し込み忘れている状態で、透明シート１８の差込み忘れ防止シート２１が露出した状態になっている。この差込み忘れ防止シート２１に警告や差込むことを誘導する記載などをしてユーザーが差し込み忘れた場合にわかるようにしている。図４で３０は透明シート１８を差込む搬送パスである。この図４のように差込み忘れ防止シート２１は搬送パス３０内に挿入され通常見えない状態になっている。
【００２１】
図５の断面図を用いて更に詳しく説明する。図５（ａ）に示すように透明シート１８を差込部上ガイド３１と差込部下ガイド３２の間の差込部３０に差し込み忘れた場合、原稿Ｄは先端が差込部下ガイド３２に引っ掛かり原稿ジャムとなってしまう。これを防ぐために差込忘れ防止シート２１を貼る事で使用者に差し込み忘れが判るようにしている。差込忘れ防止シートの記載内容は、例えば、「この部分が見えないように差込むこと」、「このシートを必ず差込むこと」、×マーク、また、赤や黄色の色を使うことにより、さらに使用者に判りやすくなる。図５（ｂ）は適正位置に差し込んだ場合の断面図である。この図のように適正位置に差込まれている場合は差込忘れ防止シート２１が見えなくなっていて原稿Ｄは引っ掛かることなく透明シート１８に沿って差込部上ガイド３１と差込部下ガイド３２の間に搬送される。
【００２２】
以上のように、差込忘れ防止シートを追加することにより、透明シートの清掃時の差込み忘れを防止でき、清掃後の差込み忘れによる原稿ジャムがなくなり、装置の使い勝手が飛躍的に向上する。
【図面の簡単な説明】
【００２３】
【図１】本発明の画像読取装置の上方斜視図である。
【図２】本発明の画像読取装置の圧板を開いた正常な状態の上方斜視図である。
【図３】本発明の自動給送読取装置を示す主要断面図である。
【図４】図３の部分拡大図である。
【図５】（ａ）本発明の透明シート差し込み忘れの状態の断面図である。（ｂ）本発明の透明シートを適正位置に差し込んだ状態の断面図である。
【図６】本発明の画像読取装置の圧板を開いた透明シート差し込み忘れの状態の上方斜視図である。
【符号の説明】
【００２４】
１  圧板ユニット
２  白地板
５  搬送原稿読取部
６  プラテンガラス
１６  密着型イメージセンサ
１８  透明なシート部材
１９  サイズ指標シート
２０  押圧手段
２１  差込忘れ防止シート
３０  透明シート差込部
３１  差込部上ガイド
３２  差込部下ガイド
Ｄ  原稿
【図１】
2010028746.tif 000003
【図２】
2010028746.tif 000004
【図３】
2010028746.tif 000005
【図４】
2010028746.tif 000006
【図５】
2010028746.tif 000007
【図６】
2010028746.tif 000008